(57)【要約】  【課題】火傷等の事故を防ぎ安全性に優れ、かつ安価な温風暖房機のルーバ構造を提供する。    【解決手段】  機器本体１の温風吹出口７を仕切るルーバ板１６のうち、手の触れるおそれのある外郭部分に、ルーバ板１３を構成する素材よりも熱伝導性の低い素材を用いた保護カバー１６を設け、この保護カバー１６をルーバ板１３の前端カール部分１３ａに係止する。保護カバーとしては弾性を有する耐熱合成樹脂などを用い、その弾性を利用してルーバ板１３の曲面形状に沿わせて係止する。これにより、保護カバー１６として直線状のものを成形しても、ルーバ板１３の曲面形状に保護カバー１６を沿わせることができ、保護カバーの成形も容易になる。  【選択図】  図５
2006220392.tif 000002
【特許請求の範囲】
【請求項１】
機器本体の温風吹出口に設置されるルーバであって、吹出口を仕切るルーバ板のうち手の触れるおそれのある外郭部分に、ルーバ板を構成する素材よりも熱伝導性の低い素材を用いた保護部が設けられたことを特徴としている温風吹出口のルーバ構造。
【請求項２】
前記保護部がルーバ板に一体成形されたことを特徴とする請求項１に記載のルーバ構造。
【請求項３】
前記保護部が保護カバーから構成されたことを特徴とする請求項１に記載のルーバ構造。
【請求項４】
前記保護カバーにルーバ板などの機器本体側に係止可能な係止手段が設けられたことを特徴とする請求項３に記載のルーバ構造。
【請求項５】
前記保護カバーがルーバ板の先端カール部に係止されることを特徴とする請求項４に記載のルーバ構造。
【請求項６】
前記保護カバーは弾性を有する素材から構成され、その弾性を利用して前記ルーバ板に係止されることを特徴とする請求項４または５に記載のルーバ構造。
【請求項７】
前記保護部の先端部に接触面積を低減する接触面積低減処理がなされたことを特徴とする請求項１〜６のいずれかに記載のルーバ構造。
【請求項８】
前記接触面積低減処理として、表面に凹凸が形成されたことを特徴とする請求項７に記載のルーバ構造。
【請求項９】
前記接触面積低減処理として、保護部の先端部に植毛が施こされたことを特徴とする請求項７に記載のルーバ構造。
【請求項１０】
前記保護部に温度変化により変色する示温材を用いて示温処理を施こされたことを特徴とする請求項１〜９のいずれかに記載のルーバ構造。
【請求項１１】
請求項１〜１０のいずれかに記載のルーバ構造を備えたことを特徴とする温風暖房機。
【発明の詳細な説明】
【技術分野】
【０００１】
本発明は、温風を機器本体の温風吹出口から室内に送風する温風暖房機のルーバ構造に関するものである。
【背景技術】
【０００２】
この種の温風暖房機の温風吹出口に取り付けられるルーバは、ルーバ枠にルーバ板を複数段に設置し、耐熱塗装を施して耐熱性を確保している。この種のルーバ構造では、素材として熱伝導性の高い金属を使用しているため、温風暖房機の使用中に、ルーバ部に直接手などが接触すると、火傷等の危険性があり、特に、高齢者や小さな子供などが使用する環境では注意が必要であった。
【０００３】
これらの火傷等の対策として、特許文献１や特許文献２には、ルーバの前面にルーバ全体を覆うルーバカバーを設け、ルーバカバーは、多数の透孔をあけたアルミメッキ鋼板で構成し、その外表面画側にのみポリアミド系繊維等よりなる短繊維の植毛を設け、ルーバカバーに誤って手を触れても火傷等を防止できる温風暖房機のルーバ構造が提案されている。
【特許文献１】実開平５−１７４５０号公報
【特許文献２】特開平９−１７０８１７号公報
【発明の開示】
【発明が解決しようとする課題】
【０００４】
しかし、特許文献１，２に示すルーバ部の構造では、ルーバカバーに多数の透孔を形成し、かつルーバの前面の全体を覆う構成となっているため、ほこり等の付着が多く、清掃等に手間がかかる。また、ルーバカバーは、アルミメッキ鋼板で構成しているため、清掃時に変形しやすく清掃後の外観も確保しにくい欠点があった。勿論、植毛加工もルーバ部全体に施しているため、コスト的にも負担が大きいことは言うまでもない。
【０００５】
本発明は、上記従来のルーバ構造の問題点を解決して、火傷等の事故を未然に防止し得る安全性に優れた温風吹出口のルーバ構造の提供を目的としている。
【課題を解決するための手段】
【０００６】
上記目的を達成するため、本発明では、特許文献１，２のようにルーバ全体を覆うルーバカバーを設けるのではなく、ルーバを構成するルーバ板のうち、手などが触れる外郭部分に、ルーバ板を構成する金属よりも熱伝導性の低い素材からなる保護部を設けることにより、安全性に優れ、かつ安価な温風吹出口のルーバ構造を提供しようとするものである。
【０００７】
すなわち、本発明は、機器本体の温風吹出口に設置されるルーバであって、吹出口を仕切るルーバ板のうち手の触れるおそれのある外郭部分に、ルーバ板を構成する素材よりも熱伝導性の低い素材を用いた保護部が設けられたことを特徴としている。
【０００８】
上記構成によると、ルーバ板のうち手の触れるおそれのある外郭部に、ルーバ板を構成する素材よりも熱伝導性の低い素材からなる保護部を設けているので、手を触れても火傷の危険性を抑制することができる。その上、手の触れるおそれのある部分のみに保護部を形成しているので、ルーバ全体を覆う場合に比べて安価なルーバ構造を提供することができる。
【０００９】
ルーバ板のうち手の触れるおそれのある外郭部としては、ルーバ板の前端部分が該当する。この部分に一体成形する、あるいは別付けするなどの方法により保護部を形成する。別付けする場合、保護部は保護カバーから構成され、該保護カバーにルーバ板などの機器本体側に係止可能な係止手段を設け、保護カバーを後付けすることができる。
【００１０】
具体的には、保護カバーとルーバ板の先端カール部とを係止する。この際、保護カバーの素材として弾性を有する素材を選択し、その弾性を利用してルーバ板に係止する。これにより、保護カバーとして直線状のものを成形してもルーバ板の湾曲形状に保護カバーを沿わせることができ、また、保護カバーの成形も容易になる。
【００１１】
また、手の触れるおそれのある保護部の先端部には、エンボス・エッチング等の接触面積を低減する表面加工処理を施すことができる。さらに、接触面積を低減する方法として、手の触れるおそれのある保護部に、接触面積を低減する植毛を施すこともできる。
【００１２】
さらに、手の触れるおそれのある保護部には、温度変化により変色する示温材を用いて示温処理を施し、温度状態を表示することもできる。
【発明の効果】
【００１３】
以上のとおり、本発明によると、熱伝導性の低い素材に着目しルーバ板の外郭部分に保護部を設けることにより、火傷等の危険を防止し安全性を向上させることができる。また、保護部をルーバ板のうち手の触れるおそれのある外郭部分のみに限って設けたので、ルーバ部全体に植毛等を行う場合に比べて保護部だけで必要な部分の対応が可能であり、安価で安全性に優れたルーバ構造を実現することができる。
【発明を実施するための最良の形態】
【００１４】
図１は本発明の実施形態である温風暖房機の正面図、図２は同じくその側面断面図、図３はルーバ部の正面図、図４は同じくその側面断面図である。
【００１５】
図に示すように、本実施形態の温風暖房機は、機器本体１の内部に、灯油、ガスを燃料とする燃焼装置２が設けられ、その上方に燃焼室（加熱室）３が設けられる。機器本体１の背面に吸込口４が形成され、吸込口４の近傍に送風機５が設けられる。機器本体１の前板６に温風吹出口７が形成され、温風吹出口７にはルーバ８が設けられる。
【００１６】
燃焼装置２は、バーナ、気化器、燃料供給装置等によって構成され、この燃焼装置２、燃焼室３、送風機５によって温風発生手段が構成される。すなわち、燃焼装置２において燃料が燃焼して、燃焼室３内の空気を加熱する。送風機５によって吸込口４から室内空気が吸い込まれ、燃焼室３に向かって吹き付けられる。この空気と加熱された空気とが混合されて、温風が生じる。温風は、温風吹出口７から室内に吹き出される。
【００１７】
上記のように発生した温風を吹出口７に導く送風路１０が、機器本体１内に燃焼室３を取り囲むように形成されている。燃焼室３は機器本体１の中央に位置して、その後方、上方および前方に空間がある。送風路１０は、これらの空間を利用して形成される。温風吹出口７は、燃焼室３の前方に位置しており、送風路１０は、燃焼室３の上方から前方を通り、斜めに下がって水平に向きを変え、温風吹出口７に至る。
【００１８】
ルーバ８は、温風吹出口７の周縁に固定されるルーバ枠１２と、該ルーバ枠内で温風吹出口７を複数段に仕切るようにルーバ枠１２に固定された複数段のルーバ板１３とを備えている。各ルーバ板１３は、水平方向に延びた横長状とされ、ルーバ板１３の両端が、ルーバ枠１２にスポット溶接等１２ａにより固定される。
【００１９】
なお、本実施形態では、図１および図３において、温風吹出口７が前板６の左側部に開口しているが、ルーバ８は前板６の左右下部のほぼ全域に配置された構成となっている。したがって、ルーバ板１３の右半分は実質的に温風が吹出さない領域になっている。この領域においても、ルーバ板１０を確実に固定するため、ルーバ板１３の右側部の後端には取付片１４が折曲形成され、該取付片１４が前板６にスポット溶接等により固定される。
【００２０】
ルーバ８は、金属素材のルーバ枠１２と、温風の通過するルーバ板１３とを複数個スポット溶接等で一体化した後、耐熱塗装等の表面後加工により防錆処理を施し、外観性を確保している。
【００２１】
図５（ａ）はルーバ板の先端部への保護カバーの取付方法を示す平面図、（ｂ）はルーバ板単体の正面図、（ｃ）はルーバの先端部への保護カバーの取付方法を示す側面断面図である。
【００２２】
ルーバ板１３は、金属板を二つ折りに曲げ加工を施し、二重の板状構造とするか（図４参照）、あるいは前端部分のみをカールさせて強度を保持する形態（図５参照）であってもよい。ルーバ板１３の前端のカール部１３ａは、図５に示すように、中央部分が前方に膨らむ湾曲状に形成される。そして、ルーバ板１３の前端カール部１３ａにおいて、その中央位置と左端部には、後述する保護カバー１６の係止爪１７を係止する係止孔１８が形成され、さらに、両係止孔間には、保護カバー１６の位置決め孔１９，２０が形成される。
【００２３】
このルーバ板１３のうち手の触れるおそれのある外郭部分に、ルーバ板１３よりも熱伝導性の低い素材から構成された保護部としての保護カバー１６が設けられている。保護カバー１６の素材は、耐熱樹脂や耐熱ゴムが使用される。これらの耐熱樹脂素材および耐熱ゴム素材の使用により、保護カバー１６には弾性も付与される。
【００２４】
保護カバー１６の形状は、図５（ａ）（ｃ）に示すように、ルーバ板１３の前端カール部１３ａを覆うように断面半円弧状に形成されたカバー本体１６ａと、該カバー本体の左右両端から左右外方に突出してルーバ板１３の係止孔１８に係合する係止手段としての係止爪１７と、両側の係止爪１７間に間隔をおいて形成され、カバー本体１６ａの円弧状内面から後方に突出して前記ルーバ板１３の位置決め孔１９，２０に挿入される位置決めピン２１、２２とを備えている。保護カバー１６の左右長さは、ルーバ板１３のうち、温風吹出口７に対向する部位となる左半分に装着できる程度の長さに設定される。
【００２５】
保護カバー１６のルーバ板１３への固定方法は、ルーバ板１３のカール部１３ａの係止孔１８に両端の係止爪１７を挿入し、かつ位置決めピン２１，２２をルーバ板１３の位置決め孔１９，２０に挿入して位置決めする。このとき、保護カバー１６の素材の弾性を利用して保護カバー１６を湾曲させ、係止爪１７および位置決めピン２１，２２をルーバ板１３側に挿入し、かつルーバ板１３の前端形状に沿わせているので、確実に保持させることができ、かつ外観性にも優れた構造となる。
【００２６】
このような係止方法の利点は、例えば保護カバー１６として耐熱樹脂を保護部に使用した場合、図５（ａ）に示すように、保護カバー１６の成型部品として、真直ぐな形で成形しても、ルーバ板形状に沿った形で固定することができる上、形状が簡素になり、成型金型費の経費削減も期待することができる。
【００２７】
このように、熱伝導性の低い素材に着目しルーバ板の外郭部分に保護カバー１６を設けることにより、火傷等の危険を防止し安全性を向上させることができる。また、保護カバー１６をルーバ板１３のうち手の触れるおそれのある外郭部分のみに限って設けたので、安価で安全性に優れたルーバ構造を実現することができる。
【００２８】
図６（ａ）は本発明の別の実施形態を示すルーバ部の平面図、（ｂ）は同じくその正面図である。この実施形態では、上記実施形態の構成に加えて、保護カバー１６の先端部に接触面積を低減するための接触面積低減処理として、表面に微細な凹凸２４が形成されたものである。微細な凹凸２４は、エンボス加工あるいはエッチング加工により形成することができる。
【００２９】
このような凹凸加工により、手の接触面積が低減され安全性がさらに向上する。また、接触面積低減処理としては保護カバー１６の先端部に植毛を施こしてもよい。
【００３０】
さらに、別の実施形態としては、保護カバーに温度変化により変色する示温材を用いることができる。示温材を用いることで、高温になっているルーバ板１３部分の温度状態を表示することになり、使用者に注意を促すことができる。示温材は、塗料として保護カバーの表面に塗布されるか、あるいはラベル・テープにより保護カバーの表面に貼り付けられる。
【００３１】
なお、本発明は、上記実施形態に限定されるものではなく、本発明の範囲内で修正・変更を加えることができるのは勿論である。例えば、上記実施形態では、保護カバー１６をルーバ板１３に後付けする例を説明したが、これに限らず、ルーバ板を構成する素材よりも熱伝導性の低い素材、例えば耐熱樹脂材をルーバ板の前端に一体成形するようにして、保護部を形成するようにしてもよい。また、本実施形態では、温風暖房機として燃焼装置を搭載したものを例示したが、電気ヒータなどの他の熱源を使用した温風暖房機に本発明を適用してもよい。
【図面の簡単な説明】
【００３２】
【図１】本発明の実施形態である温風暖房機の正面図
【図２】図１の側面断面図
【図３】図１のルーバ部の正面図
【図４】図３の側面断面図
【図５】（ａ）はルーバの先端部への保護カバーの取付方法を示す平面図、（ｂ）はルーバ板単体の正面図、（ｃ）はルーバ板の先端部への保護カバーの取付方法を示す側面断面図
【図６】（ａ）は本発明の別の実施形態を示すルーバ部の平面図、（ｂ）は同じくその正面図
【符号の説明】
【００３３】
１    機器本体
２    燃焼装置
３    燃焼室（加熱室）
４    吸込口
５    送風機
６    前板
７    温風吹出口
８    ルーバ
１０    送風路
１２    ルーバ枠
１３    ルーバ板
１３ａ  カール部
１４    取付片
１６    保護カバー（保護部）
１７    係止爪
１８    係止孔
１９，２０    位置決め孔
２１，２２      位置決めピン
【図１】
2006220392.tif 000003
【図２】
2006220392.tif 000004
【図３】
2006220392.tif 000005
【図４】
2006220392.tif 000006
【図５】
2006220392.tif 000007
【図６】
2006220392.tif 000008